(57)【要約】【課題】消音効果が十分に得られることのできる電気掃除機用の集塵ホースを提供する。【解決手段】螺旋状に配設された芯部２０,３０と、この芯部２０,３０を被覆するとともにホースを形成した可撓性のホース部材４０とを備えた電気掃除機用の集塵ホース１２であって、ホース部材４０の外周面を可撓性の被覆部材４１で覆い、ホース部材４０と被覆部材４１との間に消音材４２Ａ,４２Ｂを配置し、ホース部材４０に多数の穴４０ａ,４０ｂを形成した。【選択図】図３
2008220420.tif 000002
【特許請求の範囲】
【請求項１】
螺旋状に配設された芯部と、この芯部を被覆するとともにホースを形成した可撓性のホース部材とを備えた電気掃除機用の集塵ホースであって、
前記ホース部材の外周面を可撓性の被覆部材で覆い、
前記ホース部材と被覆部材との間の隣り合う芯部間に消音材を配置し、
前記ホース部材の消音材に対向する位置に多数の穴を形成したことを特徴とする電気掃除機用の集塵ホース。
【請求項２】
前記消音材は、帯状に形成された帯体から構成され、この帯体を前記芯部に沿って螺旋状に巻き付けたことを特徴とする請求項１に記載の電気掃除機用の集塵ホース。
【発明の詳細な説明】
【技術分野】
【０００１】
この発明は、例えば掃除機本体内の集塵室と手元操作管とを連通する電気掃除機用の集塵ホースに関する。
【背景技術】
【０００２】
従来から、電気掃除機に使用される集塵用ホースが知られている（特許文献１参照）。
【０００３】
かかる集塵ホースは、螺旋状に配設された芯部と、この芯部を被覆するとともにホースを形成した可撓性のホース部材と、このホース部材の内側に螺旋状に配設した消音材とから構成されている。
【０００４】
この集塵ホースは、ホース部材の内側に消音材を螺旋状に配設して消音効果を図ったものである。
【特許文献１】特開平４−２８３２４号公報
【発明の開示】
【発明が解決しようとする課題】
【０００５】
しかしながら、このような集塵ホースにあっては、ホース部材の内側にウレタンやフェルトなどの消音材を配置したものなので、一般に多孔質型吸音と呼ばれる高音域の吸音特性に効果のある吸音機構であるが、電動送風機のファンなどから発生する高周波の騒音のように所定の周波数に対しての消音効果が十分に得られないという問題がった。
【０００６】
また、塵埃の通過する集塵ホース内面に消音材が露出しているため、その消音材に塵埃が付着したり細線状の塵埃が突き刺さったりして、塵埃詰まりの原因となるという問題があった。
【０００７】
この発明の目的は、音域に拘わらず消音効果が十分に得られるとともに塵埃詰まりが生じ難い電気掃除機の集塵ホースを提供することにある。
【課題を解決するための手段】
【０００８】
この発明は、螺旋状に配設された芯部と、この芯部を被覆するとともにホースを形成した可撓性のホース部材とを備えた電気掃除機用の集塵ホースであって、
前記ホース部材の外周面を可撓性の被覆部材で覆い、
前記ホース部材と被覆部材との間の隣り合う芯部間に消音材を配置し、
前記ホース部材の消音材に対向する位置に多数の穴を形成したことを特徴とする。
【発明の効果】
【０００９】
この発明によれば、音域に拘わらず消音効果が十分に得ることができ、しかも塵埃詰まりが生じ難いものとなる。
【発明を実施するための最良の形態】
【００１０】
以下、この発明に係る電気掃除機用の集塵ホースの実施の形態である実施例を図面に基づいて説明する。
【実施例】
【００１１】
［第１実施例］
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には手元操作部１３Ａが設けられており、この手元操作部１３Ａには操作スイッチ１３ａが設けられている。
【００１２】
掃除機本体１１内には、図示しない塵埃分離と、この塵埃分離で分離された塵埃を集塵する集塵部と、塵埃を吸引するための電動送風機とが設けられており、集塵部が集塵ホース１２および延長管１４を介して吸込口体１５の底面の吸込開口（図示せず）に連通されている。
【００１３】
集塵ホース１２は、図２および図３に示すように、互いに平行に螺旋状に配設された一対の芯部２０,３０と、この芯部２０,３０を被覆するとともにホースを形成した可撓性のホース部材４０と、このホース部材４０の外周面を覆った可撓性の被覆部材４１と、ホース部材４０と被覆部材４１との間に配置された一対の消音材４２Ａ,４２Ｂとを備えている。
【００１４】
芯部２０は、信号線である銅線からなる芯線２１と、この芯線２１を被覆する被覆材２２と、保形用の硬鋼線２３と、これらを一体に包み込んだ被覆材２４とから構成されている。
【００１５】
同様に、芯部３０は、信号線（アース用導線）である銅線からなる芯線３１と、この芯線３１を被覆する被覆材３２と、保形用の硬鋼線３３と、これらを一体に包み込んだ被覆材３４とから構成されている。
【００１６】
ホース部材４０は、薄膜状の例えば軟質の塩化ビニルにより形成されており、このホース部材４０には、芯部２０と芯部３０との間の螺旋に沿って所定間隔毎に多数の穴４０ａ,４０ｂが形成されている。
【００１７】
消音材４２Ａは、例えばウレタンなどを帯状に形成したもので、これを螺旋状にして芯部２０とこの芯部２０の右側（図２において）にある芯部３０との間に配置したものである。この消音材４２Ａはホース部材４０の多数の穴４０ａを塞ぐ位置に配設されているとともに、ホース部材４０と被覆部材４１との間に形成された空間に配置された状態となっている。
【００１８】
消音材４２Ｂは、同様にウレタンなどを帯状に形成したもので、これを螺旋状にして芯部３０とこの芯部３０の右側（図２において）の芯部２０と間に配置したものである。この消音材４２Ｂはホース部材４０の多数の穴４０ｂを塞ぐ位置に配設されているとともに、ホース部材４０と被覆部材４１との間に形成された空間に配置された状態となっている。
【００１９】
被覆部材４１は、薄膜状の例えば軟質の塩化ビニルにより形成されている。そして、この被覆部材４１とホース部材４０とで集塵ホース１２は２重構造となっている。
【００２０】
次に、上記のように構成される集塵ホース１２の作用について説明する。
【００２１】
手元操作部１３Ａの操作スイッチ１３ａを操作すると図示しない電動送風機が駆動され、この駆動により吸込口体１５の底面の吸込開口（図示せず）から空気とともに塵埃が吸い込まれていく。この空気および塵埃が延長管１４および集塵ホース１２を介して掃除機本体１１の塵埃分離部（図示せず）へ吸引され、この塵埃分離部で塵埃と空気とが分離され、この分離された塵埃が集塵部に集塵されていく。
【００２２】
一方、塵埃分離部で分離された空気は電動送風機の吸込開口に吸引されて電動送風機の排出口から排出され、この排出された空気が掃除機本体１１の排気口（図示せず）から排気されていく。
【００２３】
ところで、吸込口体１５の吸込開口から空気を吸い込むとき、風切り音などの騒音が発生し、この騒音が延長管１４内を通って集塵ホース１２のホース部材４０内に達し、このホース部材４０内を通っていく。
【００２４】
ホース部材４０に多数の穴４０ａ,４０ｂが形成されているとともに、ホース部材４０と被覆部材４１との間に空間が形成され、この空間と穴４０ａ,４０ｂとにより共鳴器が形成されている。ホース部材４０内を通っていく騒音は共鳴器に当たると、共鳴周波数の近傍において穴４０ａ,４０ｂ周辺の空気が激しく振動し、周辺との摩擦により摩擦熱となって騒音のエネルギーが消費される。すなわち、ヘルムホルツの共鳴器と同様な原理である。
【００２５】
このため、電動送風機のファンから発生する風切音などの特定域の騒音は共鳴周波数に合うことで優れた消音効果が得られる。また、ホース部材４０の長さはその断面積に対して非常に長いため十分な消音効果を得ることができる。さらに、穴径の異なる複数の穴４０ａ,４０ｂを設けることにより、電動送風機の回転数の変化による異なる周波数の騒音に対しても対応することができ、音域に拘わらず十分な消音効果を得ることができる。
【００２６】
また、穴４０ａ,４０ｂから空間に入った騒音は、消音材４２Ａ,４２Ｂを振動させることにより、騒音のエネルギーが熱エネルギーとして消費され、主に高音域の騒音を吸音することになる。
【００２７】
このため、掃除機本体１１の電動送風機内を通って掃除機本体１１の排気口から放出される吸込口体１５の騒音は相当小さなものとなる。
【００２８】
また、電動送風機で発生する騒音が集塵ホース１２および延長管１４を通って吸込口体１５の吸込開口から放出されるが、この電動送風機の騒音も上記と同様にホース部材４０内で十分に消音されていくので、吸込口体１５の吸込開口から放出される電動送風機の騒音も相当静かなものとなる。
【００２９】
そのうえ、集塵ホース１２の内面はその大部分を薄膜状のホース部材４０で構成されているため、塵埃が付着してしまうことがない。
【００３０】
図４は他の実施例の集塵ホース１１２を示したものであり、この集塵ホース１１２は、ホース部材４０の穴４０ａ,４０ｂにも消音材１４２Ａ,１４２Ｂを入り込ませたものである。
［第２実施例］
図５および図６は第２実施例の集塵ホース２１２を示したものである。この集塵ホース２１２は、消音材４２Ｂを省略して消音材４２Ａのみを配設したものであり、ホース部材４０の穴４０ａも消音材４２Ａがある位置にだけ設けたものである。
【００３１】
この第２実施例の集塵ホース２１２によれば、消音材４２Ａのみを配設したものであるから、図５に示すように、集塵ホース２１２の軸線方向（図５において左右方向）に沿って消音材４２Ａのある部分と消音材４２Ａのない部分とが交互に形成される状態となるので、集塵ホース２１２は曲げ易いものとなる。
【００３２】
上記実施例は、いずれも芯部２０,３０は芯線２１,３１と硬鋼線２３,３３とを有しているが、図７に示すように芯線２１,３１を有しない硬鋼線５０のみのものであってもよい。５１は硬鋼線５０を覆った被覆材である。
【図面の簡単な説明】
【００３３】
【図１】この発明に係る集塵ホースを使用した電機掃除機の外観を示した斜視図である。
【図２】集塵ホースの構成の一部を断面にした説明図である。
【図３】集塵ホースの構成を示した部分拡大断面図である。
【図４】他の集塵ホースの例を示した説明図である。
【図５】第２実施例の集塵ホースの構成の一部を断面にした説明図である。
【図６】第２実施例の集塵ホースの構成を示した部分拡大断面図である。
【図７】他の例の集塵ホースの構成を示した説明図である。
【符号の説明】
【００３４】
２０,３０     芯部
４０          ホース部材
４０ａ        穴
４０ｂ        穴
４１          被覆部材
４２Ａ        消音材
４２Ｂ        消音材
【図１】
2008220420.tif 000003
【図２】
2008220420.tif 000004
【図３】
2008220420.tif 000005
【図４】
2008220420.tif 000006
【図５】
2008220420.tif 000007
【図６】
2008220420.tif 000008
【図７】
2008220420.tif 000009